(57)【要約】【課題】商品に対する消費者の信用度を増大させると共に、消費者が安心して商品を選択できるようにする。【解決手段】商品提供者端末２から送信された商品提供者情報を記録する商品提供者情報記録手段６と、情報提供者端末３から送信された情報提供者情報を記録する情報提供者情報記録手段７と、広告情報出力手段８と、ポイント付与手段９とを備える。【選択図】図１
2020177660.tif 000002
【特許請求の範囲】
【請求項１】
所定の商品の情報を含み、商品提供者の端末から送信された情報を、商品提供者情報として記録する商品提供者情報記録手段と、
前記商品提供者が提供する前記商品の情報と、前記商品提供者が提供する前記商品の宣伝広告のための情報を含み、前記商品提供者とは異なる情報提供者の端末から送信された情報を、情報提供者情報として記録する情報提供者情報記録手段と、
前記情報提供者情報記録手段に記録された前記情報提供者情報のうち、前記商品提供者が選択した情報提供者情報である選択情報提供者情報に含まれる前記宣伝広告のための情報、若しくは、前記選択情報提供者情報に含まれる前記宣伝広告のための情報にアクセス可能な識別情報を出力する情報出力手段と、
前記情報出力手段が情報を出力することによって、前記宣伝広告のための情報が利用された前記情報提供者に対して、ポイントを付与するポイント付与手段と、を備える
商品情報提供システム。
【請求項２】
前記商品提供者の端末から送信された特定情報であって、前記情報提供者情報記録手段に記録された複数の前記情報提供者情報のうち、前記選択情報提供者情報を特定するための前記特定情報を記録する特定情報記録手段を備え、
前記情報出力手段は、前記特定情報記録手段に記録された前記特定情報に基づいて出力する
請求項１に記載の商品情報提供システム。
【請求項３】
前記情報提供者情報は、前記商品を用いた料理レシピ情報を含む
請求項１または請求項２に記載の商品情報提供システム。
【請求項４】
前記情報提供者情報は、前記商品の価格、若しくは、前記商品の購入方法の情報、の少なくとも一方を含む
請求項１または請求項２に記載の商品情報提供システム。
【請求項５】
前記情報提供者情報は、前記宣伝広告のための情報が利用された場合の還元率の情報を含み、
前記ポイント付与手段は、前記選択情報提供者情報に含まれる還元率の情報に応じたポイントを付与する
請求項１、請求項２、請求項３または請求項４に記載の商品情報提供システム。
【請求項６】
前記商品提供者情報は、前記商品提供者が提供する前記商品の品質理解のための情報を含む
請求項１、請求項２、請求項３、請求項４または請求項５に記載の商品情報提供システム。
【請求項７】
前記情報提供者情報は、前記商品提供者が提供する前記商品の品質理解のための情報を含む
請求項１、請求項２、請求項３、請求項４、請求項５または請求項６に記載の商品情報提供システム。
【請求項８】
商品提供者が提供する商品の宣伝広告のための情報を含み、前記商品提供者とは異なる情報提供者の端末から送信された情報を、情報提供者情報として記録する情報提供者情報記録手段と、
前記情報提供者情報記録手段に記録された前記情報提供者情報のうち、前記商品提供者が選択した情報提供者情報である選択情報提供者情報に含まれる前記宣伝広告のための情報、若しくは、前記選択情報提供者情報に含まれる前記宣伝広告のための情報にアクセス可能な識別情報を出力する情報出力手段と、
前記情報出力手段が情報を出力することによって、前記宣伝広告のための情報が利用された前記情報提供者に対して、ポイントを付与するポイント付与手段と、を備える
商品情報提供システム。
【請求項９】
前記商品提供者の端末から送信された特定情報であって、前記情報提供者情報記録手段に記録された複数の前記情報提供者情報のうち、前記選択情報提供者情報を特定するための前記特定情報を記録する特定情報記録手段を備え、
前記情報出力手段は、前記特定情報記録手段に記録された前記特定情報に基づいて出力する
請求項８に記載の商品情報提供システム。
【請求項１０】
前記情報提供者情報は、前記商品を用いた料理レシピ情報を含む
請求項８または請求項９に記載の商品情報提供システム。
【請求項１１】
前記情報提供者情報は、前記商品の価格、若しくは、前記商品の購入方法の情報、の少なくとも一方を含む
請求項８または請求項９に記載の商品情報提供システム。
【請求項１２】
前記情報提供者情報は、前記宣伝広告のための情報が利用された場合の還元率の情報を含み、
前記ポイント付与手段は、前記選択情報提供者情報に含まれる還元率の情報に応じたポイントを付与する
請求項８、請求項９、請求項１０または請求項１１に記載の商品情報提供システム。
【請求項１３】
前記情報提供者情報は、前記商品提供者が提供する前記商品の品質理解のための情報を含む
請求項８、請求項９、請求項１０、請求項１１または請求項１２に記載の商品情報提供システム。
【請求項１４】
所定のサービスの情報を含み、サービス提供者の端末から送信された情報を、サービス提供者情報として記録するサービス提供者情報記録手段と、
前記サービス提供者が提供する前記サービスの情報と、前記サービス提供者が提供する前記サービスの宣伝広告のための情報を含み、前記サービス提供者とは異なる情報提供者の端末から送信された情報を、情報提供者情報として記録する情報提供者情報記録手段と、
前記情報提供者情報記録手段に記録された前記情報提供者情報のうち、前記サービス提供者が選択した情報提供者情報である選択情報提供者情報に含まれる前記宣伝広告のための情報、若しくは、前記選択情報提供者情報に含まれる前記宣伝広告のための情報にアクセス可能な識別情報を出力する情報出力手段と、
前記情報出力手段が情報を出力することによって、前記宣伝広告のための情報が利用された前記情報提供者に対して、ポイントを付与するポイント付与手段と、を備える
サービス情報提供システム。
【請求項１５】
前記サービス提供者の端末から送信された特定情報であって、前記情報提供者情報記録手段に記録された複数の前記情報提供者情報のうち、前記選択情報提供者情報を特定するための前記特定情報を記録する特定情報記録手段を備え、
前記情報出力手段は、前記特定情報記録手段に記録された前記特定情報に基づいて出力する
請求項１４に記載のサービス情報提供システム。
【請求項１６】
前記情報提供者情報は、前記サービスの価格、若しくは、前記サービスの購入方法の情報、の少なくとも一方を含む
請求項１４または請求項１５に記載のサービス情報提供システム。
【請求項１７】
前記情報提供者情報は、前記宣伝広告のための情報が利用された場合の還元率の情報を含み、
前記ポイント付与手段は、前記選択情報提供者情報に含まれる還元率の情報に応じたポイントを付与する
請求項１４、請求項１５または請求項１６に記載のサービス情報提供システム。
【請求項１８】
前記サービス提供者情報は、前記サービス提供者が提供する前記サービスの品質理解のための情報を含む
請求項１４、請求項１５、請求項１６または請求項１７に記載のサービス情報提供システム。
【請求項１９】
前記情報提供者情報は、前記サービス提供者が提供する前記サービスの品質理解のための情報を含む
請求項１４、請求項１５、請求項１６、請求項１７または請求項１８に記載のサービス情報提供システム。
【請求項２０】
サービス提供者が提供するサービスの宣伝広告のための情報を含み、前記サービス提供者とは異なる情報提供者の端末から送信された情報を、情報提供者情報として記録する情報提供者情報記録手段と、
前記情報提供者情報記録手段に記録された前記情報提供者情報のうち、前記サービス提供者が選択した情報提供者情報である選択情報提供者情報に含まれる前記宣伝広告のための情報、若しくは、前記選択情報提供者情報に含まれる前記宣伝広告のための情報にアクセス可能な識別情報を出力する情報出力手段と、
前記情報出力手段が情報を出力することによって、前記宣伝広告のための情報が利用された前記情報提供者に対して、ポイントを付与するポイント付与手段と、を備える
サービス情報提供システム。
【請求項２１】
前記サービス提供者の端末から送信された特定情報であって、前記情報提供者情報記録手段に記録された複数の前記情報提供者情報のうち、前記選択情報提供者情報を特定するための前記特定情報を記録する特定情報記録手段を備え、
前記情報出力手段は、前記特定情報記録手段に記録された前記特定情報に基づいて出力する
請求項２０に記載のサービス情報提供システム。
【請求項２２】
前記情報提供者情報は、前記サービスの価格、若しくは、前記サービスの購入方法の情報、の少なくとも一方を含む
請求項２０または請求項２１に記載のサービス情報提供システム。
【請求項２３】
前記情報提供者情報は、前記宣伝広告のための情報が利用された場合の還元率の情報を含み、
前記ポイント付与手段は、前記選択情報提供者情報に含まれる還元率の情報に応じたポイントを付与する
請求項２０、請求項２１または請求項２２に記載のサービス情報提供システム。
【請求項２４】
前記情報提供者情報は、前記サービス提供者が提供する前記サービスの品質理解のための情報を含む
請求項２０、請求項２１、請求項２２または請求項２３に記載のサービス情報提供システム。
【発明の詳細な説明】
【技術分野】
【０００１】
本発明は、商品情報提供システム及びサービス情報提供システムに関する。詳しくは、消費者が安心して商品やサービスの選択をすることが可能となる商品情報提供システム及びサービス情報提供システムに係るものである。
【背景技術】
【０００２】
従来、食品を中心として商品の安全性が消費者に注目されており、消費者が商品を選択する際に、消費者は商品自体や商品の原料がどの様な物であるのかという点にまで関心を示す様になっている。
【０００３】
そのため、商品の提供者は、提供する商品や商品の原料の成分や産地、製造年月日等の情報を商品の包装に貼付したラベルに記載したり、ＩＣタグに記録したりして、商品を提供している。
【０００４】
しかし、単に情報を記載や記録したものを商品に添付して提供するだけでは、その情報の改竄や偽造等が容易であり、現に情報の改竄や偽造等が行われている事実もあり、消費者に信用度が低く、消費者が安心して商品を選択することが困難であった。
【０００５】
そこで、本発明の発明者は、単に情報を記載や記録したものを食品に添付するのではなく、食品の原料を粉末にした原料粉末見本を食品に添付して食品を提供する技術を提案している（特許文献１参照）。
【先行技術文献】
【特許文献】
【０００６】
【特許文献１】特開２００９−５６５６号公報
【発明の概要】
【発明が解決しようとする課題】
【０００７】
ところで、食品を含む各種商品の品質や、各種サービスの品質は、その商品やサービスが消費者に提供されるまでの過程における様々な要因に強く影響を受けるものである。
【０００８】
そして、商品やサービスの情報が充分に消費者に伝わっていない場合には、消費者が安心して商品やサービスを選択するといった目的を実現することができない場合がある。
加えて、商品やサービスの情報を充分に消費者に伝えることは、商品やサービスの提供者にとっては、必ずしも容易では無かった。
【０００９】
本発明は、以上の点に鑑みて創案されたものであって、より一層充分に消費者が安心して商品やサービスを選択することが可能となる商品情報提供システム及びサービス情報提供システムを提供することを目的とするものである。
【課題を解決するための手段】
【００１０】
上記の目的を達成するために、本発明の商品情報提供システムは、所定の商品の情報を含み、商品提供者の端末から送信された情報を、商品提供者情報として記録する商品提供者情報記録手段と、前記商品提供者が提供する前記商品の情報と、前記商品提供者が提供する前記商品の宣伝広告のための情報を含み、前記商品提供者とは異なる情報提供者の端末から送信された情報を、情報提供者情報として記録する情報提供者情報記録手段と、前記情報提供者情報記録手段に記録された前記情報提供者情報のうち、前記商品提供者が選択した情報提供者情報である選択情報提供者情報に含まれる前記宣伝広告のための情報、若しくは、前記選択情報提供者情報に含まれる前記宣伝広告のための情報にアクセス可能な識別情報を出力する情報出力手段と、前記情報出力手段が情報を出力することによって、前記宣伝広告のための情報が利用された前記情報提供者に対して、ポイントを付与するポイント付与手段と、を備える。
【００１１】
ここで、商品提供者情報として、所定の商品の情報が商品提供者情報記録手段に記録されることによって、商品提供者が提供する所定の商品を特定することができる。
【００１２】
また、情報提供者情報として、商品提供者が提供する商品の情報が情報提供者情報記録手段に記録されることによって、商品提供者が提供する所定の商品を情報提供者の立場で特定することができる。
【００１３】
そして、所定の商品の特定を、商品提供者と情報提供者の双方の情報に基づいて行うことによって、情報の改竄や偽造等を抑止することができる。
即ち、同一内容であるべき情報（所定の商品の情報）について、それを提供する側（商品提供者）とそれ以外（情報提供者）の双方から記録することによって、情報の改竄や偽造等を抑止することができる。
なお、商品提供者情報記録手段が、情報提供者情報記録手段と異なる場合には、より一層情報の改竄や偽造等を抑止することができる。
【００１４】
また、情報提供者情報として、宣伝広告のための情報が情報提供者情報記録手段に記録されることによって、商品提供者が提供する商品の訴求点を情報提供者の立場で特定することができる。
【００１５】
ここで、商品提供者情報として、品質理解のための情報が商品提供者情報記録手段に記録される場合には、商品提供者が提供する商品の品質を特定することができる。
同様に、情報提供者情報として、品質理解のための情報が情報提供者情報記録手段に記録される場合には、商品提供者が提供する商品の品質を情報提供者の立場で特定することができる。
【００１６】
そして、所定の商品の品質の特定を、商品提供者と情報提供者の双方の情報に基づいて行うことによって、情報の改竄や偽造等を抑止することができる。
即ち、同一内容であるべき情報（商品の品質理解のための情報）について、それを提供する側（商品提供者）とそれ以外（情報提供者）の双方から記録することによって、情報の改竄や偽造等を抑止することができる。そして、情報の改竄や偽造等の抑止が実現できることから、情報提供者が提供する情報提供者情報は、商品提供者が提供する所定の商品の品質を保証するといった役割をも果たすこととなる。そのため、品質を保証してくれる情報提供者（即ち、選択情報提供者情報を記録した情報提供者）を、所定の表示を用いて知らしめた場合には、商品提供者の商品の販売促進が期待できる。
なお、商品提供者情報記録手段が、情報提供者情報記録手段と異なる場合には、より一層情報の改竄や偽造等を抑止することができる。
【００１７】
また、情報出力手段が、選択情報提供者情報に含まれる宣伝広告のための情報、若しくは、宣伝広告のための情報にアクセス可能な識別情報を出力することによって、消費者は情報提供者が特定した商品提供者の商品の訴求点を把握することができる。
【００１８】
更に、ポイント付与手段が宣伝広告のための情報が利用された情報提供者に対してポイントを付与することによって、宣伝広告のための情報が利用されたいという情報提供者のインセンティブを高めることができる。
【００１９】
また、ポイントを付与される対象は、商品提供者が選択した情報提供者情報であるために、換言すると、商品提供者に選択された情報提供者情報のみが利用されるために、情報提供者情報が利用されたい情報提供者同士での競争が生まれ、より一層、情報提供者情報に含まれる宣伝広告のための情報の高品質化が期待できる。なお、商品提供者が選択する情報提供者情報は、単数であっても複数であっても良い。
【００２０】
ここで、「宣伝広告のための情報」は、消費者の購買意欲が高まる情報や、消費者を購入に導く情報であれば、いかなる情報であっても良い。
例えば、商品を用いた料理レシピ情報が挙げられ、（１）商品が食品である場合に、その食品を使った料理レシピ情報や、（２）商品が調理器具である場合に、その調理器具を使った料理レシピ情報、といった具合である。なお、料理レシピ情報によって、商品の具体的な用途を消費者に伝えることができる。
また、例えば、商品が不動産である場合に、（１）不動産の利用方法の情報や、（２）近隣の将来の開発計画の情報、といった具合である。
また、「宣伝広告のための情報」として、「商品の使用方法」、「商品の改良方法」、「商品の価格の情報」、「商品の購入方法の情報」、「商品の利用計画」、「商品開発の内容」、「商品開発の方法」、「商品開発の方式」、「商品開発のプロジェクトの概略」等も挙げられる。
【００２１】
また、情報提供者情報として、還元率の情報が情報提供者情報記録手段に記録される場合には、宣伝広告のための情報が利用された場合の還元率を特定することができる。
【００２２】
なお、情報提供者情報は情報提供者の端末から送信される情報であるために、換言すると、還元率の情報を情報提供者自身が決定し、情報提供者情報記録手段に記録することによって、宣伝広告のための情報が利用されたいという情報提供者のインセンティブが高まることを期待できる。そして、こうしたインセンティブの高まりに伴って、情報提供者情報に含まれる宣伝広告のための情報の高品質化も期待できる。
【００２３】
また、上記の目的を達成するために、本発明の商品情報提供システムは、商品提供者が提供する商品の宣伝広告のための情報を含み、前記商品提供者とは異なる情報提供者の端末から送信された情報を、情報提供者情報として記録する情報提供者情報記録手段と、前記情報提供者情報記録手段に記録された前記情報提供者情報のうち、前記商品提供者が選択した情報提供者情報である選択情報提供者情報に含まれる前記宣伝広告のための情報、若しくは、前記選択情報提供者情報に含まれる前記宣伝広告のための情報にアクセス可能な識別情報を出力する情報出力手段と、前記情報出力手段が情報を出力することによって、前記宣伝広告のための情報が利用された前記情報提供者に対して、ポイントを付与するポイント付与手段と、を備える。
【００２４】
ここで、情報提供者情報として、宣伝広告のための情報が情報提供者情報記録手段に記録されることによって、商品提供者が提供する商品の訴求点を情報提供者の立場で特定することができる。
【００２５】
また、情報出力手段が、選択情報提供者情報に含まれる宣伝広告のための情報、若しくは、宣伝広告のための情報にアクセス可能な識別情報を出力することによって、消費者は情報提供者が特定した商品提供者の商品の訴求点を把握することができる。
【００２６】
更に、ポイント付与手段が宣伝広告のための情報を利用された情報提供者に対してポイントを付与することによって、宣伝広告のための情報が利用されたいという情報提供者のインセンティブを高めることができる。
【００２７】
また、ポイントを付与される対象は、商品提供者が選択した情報提供者情報であるために、換言すると、商品提供者に選択された情報提供者情報のみが利用されるために、情報提供者情報が利用されたい情報提供者同士での競争が生まれ、より一層、情報提供者情報に含まれる宣伝広告のための情報の高品質化が期待できる。なお、商品提供者が選択する情報提供者情報は、単数であっても複数であっても良い。
【００２８】
ここで、「宣伝広告のための情報」は、消費者の購買意欲が高まる情報や、消費者を購入に導く情報であれば、いかなる情報であっても良い。
例えば、商品を用いた料理レシピ情報が挙げられ、（１）商品が食品である場合に、その食品を使った料理レシピ情報や、（２）商品が調理器具である場合に、その調理器具を使った料理レシピ情報、といった具合である。なお、料理レシピ情報によって、商品の具体的な用途を消費者に伝えることができる。
また、例えば、商品が不動産である場合に、（１）不動産の利用方法の情報や、（２）近隣の将来の開発計画の情報、といった具合である。
また、「宣伝広告のための情報」として、「商品の使用方法」、「商品の改良方法」、「商品の価格の情報」、「商品の購入方法の情報」、「商品の利用計画」、「商品開発の内容」、「商品開発の方法」、「商品開発の方式」、「商品開発のプロジェクトの概略」等も挙げられる。
【００２９】
また、情報提供者情報として、還元率の情報が情報提供者情報記録手段に記録される場合には、宣伝広告のための情報が利用された場合の還元率を特定することができる。
【００３０】
なお、情報提供者情報は情報提供者の端末から送信される情報であるために、換言すると、還元率の情報を情報提供者自身が決定し、情報提供者情報記録手段に記録することによって、宣伝広告のための情報が利用されたいという情報提供者のインセンティブが高まることを期待できる。そして、こうしたインセンティブの高まりに伴って、情報提供者情報に含まれる宣伝広告のための情報の高品質化も期待できる。
【００３１】
また、上記の目的を達成するために、本発明のサービス情報提供システムは、所定のサービスの情報を含み、サービス提供者の端末から送信された情報を、サービス提供者情報として記録するサービス提供者情報記録手段と、前記サービス提供者が提供する前記サービスの情報と、前記サービス提供者が提供する前記サービスの宣伝広告のための情報を含み、前記サービス提供者とは異なる情報提供者の端末から送信された情報を、情報提供者情報として記録する情報提供者情報記録手段と、前記情報提供者情報記録手段に記録された前記情報提供者情報のうち、前記サービス提供者が選択した情報提供者情報である選択情報提供者情報に含まれる前記宣伝広告のための情報、若しくは、前記選択情報提供者情報に含まれる前記宣伝広告のための情報にアクセス可能な識別情報を出力する情報出力手段と、前記情報出力手段が情報を出力することによって、前記宣伝広告のための情報が利用された前記情報提供者に対して、ポイントを付与するポイント付与手段と、を備える。
【００３２】
ここで、サービス提供者情報として、所定のサービスの情報がサービス提供者情報記録手段に記録されることによって、サービス提供者が提供する所定のサービスを特定することができる。
【００３３】
また、情報提供者情報として、サービス提供者が提供するサービスの情報が情報提供者情報記録手段に記録されることによって、サービス提供者が提供する所定のサービスを情報提供者の立場で特定することができる。
【００３４】
そして、所定のサービスの特定を、サービス提供者と情報提供者の双方の情報に基づいて行うことによって、情報の改竄や偽造等を抑止することができる。
即ち、同一内容であるべき情報（所定のサービスの情報）について、それを提供する側（サービス提供者）とそれ以外（情報提供者）の双方から記録することによって、情報の改竄や偽造等を抑止することができる。
なお、サービス提供者情報記録手段が、情報提供者情報記録手段と異なる場合には、より一層情報の改竄や偽造等を抑止することができる。
【００３５】
また、情報提供者情報として、宣伝広告のための情報が情報提供者情報記録手段に記録されることによって、サービス提供者が提供するサービスの訴求点を情報提供者の立場で特定することができる。
【００３６】
ここで、サービス提供者情報として、品質理解のための情報がサービス提供者情報記録手段に記録される場合には、サービス提供者が提供するサービスの品質を特定することができる。
同様に、情報提供者情報として、品質理解のための情報が情報提供者情報記録手段に記録される場合には、サービス提供者が提供するサービスの品質を情報提供者の立場で特定することができる。
【００３７】
そして、所定のサービスの品質の特定を、サービス提供者と情報提供者の双方の情報に基づいて行うことによって、情報の改竄や偽造等を抑止することができる。
即ち、同一内容であるべき情報（サービスの品質理解のための情報）について、それを提供する側（サービス提供者）とそれ以外（情報提供者）の双方から記録することによって、情報の改竄や偽造等を抑止することができる。そして、情報の改竄や偽造等の抑止が実現できることから、情報提供者が提供する情報提供者情報は、サービス提供者が提供する所定のサービスの品質を保証するといった役割をも果たすこととなる。そのため、品質を保証してくれる情報提供者（即ち、選択情報提供者情報を記録した情報提供者）を、所定の表示を用いて知らしめた場合には、サービス提供者のサービスの販売促進が期待できる。
なお、サービス提供者情報記録手段が、情報提供者情報記録手段と異なる場合には、より一層情報の改竄や偽造等を抑止することができる。
【００３８】
また、情報出力手段が、選択情報提供者情報に含まれる宣伝広告のための情報、若しくは、宣伝広告のための情報にアクセス可能な識別情報を出力することによって、消費者は情報提供者が特定したサービス提供者のサービスの訴求点を把握することができる。
【００３９】
更に、ポイント付与手段が宣伝広告のための情報が利用された情報提供者に対してポイントを付与することによって、宣伝広告のための情報が利用されたいという情報提供者のインセンティブを高めることができる。
【００４０】
また、ポイントを付与される対象は、サービス提供者が選択した情報提供者情報であるために、換言すると、サービス提供者に選択された情報提供者情報のみが利用されるために、情報提供者情報が利用されたい情報提供者同士での競争が生まれ、より一層、情報提供者情報に含まれる宣伝広告のための情報の高品質化が期待できる。なお、サービス提供者が選択する情報提供者情報は、単数であっても複数であっても良い。
【００４１】
ここで、「宣伝広告のための情報」は、消費者の購買意欲が高まる情報や、消費者を購入に導く情報であれば、いかなる情報であっても良い。例えば、サービスの価格の情報や、サービスの購入方法の情報が挙げられる。
【００４２】
また、情報提供者情報として、還元率の情報が情報提供者情報記録手段に記録される場合には、広告宣伝のための情報が利用された場合の還元率を特定することができる。
【００４３】
なお、情報提供者情報は情報提供者の端末から送信される情報であるために、換言すると、還元率の情報を情報提供者自身が決定し、情報提供者情報記録手段に記録することによって、宣伝広告のための情報が利用されたいという情報提供者のインセンティブが高まることを期待できる。そして、こうしたインセンティブの高まりに伴って、情報提供者情報に含まれる宣伝広告のための情報の高品質化も期待できる。
【００４４】
また、上記の目的を達成するために、本発明のサービス情報提供システムは、サービス提供者が提供するサービスの宣伝広告のための情報を含み、前記サービス提供者とは異なる情報提供者の端末から送信された情報を、情報提供者情報として記録する情報提供者情報記録手段と、前記情報提供者情報記録手段に記録された前記情報提供者情報のうち、前記サービス提供者が選択した情報提供者情報である選択情報提供者情報に含まれる前記宣伝広告のための情報、若しくは、前記選択情報提供者情報に含まれる前記宣伝広告のための情報にアクセス可能な識別情報を出力する情報出力手段と、前記情報出力手段が情報を出力することによって、前記宣伝広告のための情報が利用された前記情報提供者に対して、ポイントを付与するポイント付与手段と、を備える。
【００４５】
ここで、情報提供者情報として、宣伝広告のための情報が情報提供者情報記録手段に記録されることによって、サービス提供者が提供するサービスの訴求点を情報提供者の立場で特定することができる。
【００４６】
また、情報出力手段が、選択情報提供者情報に含まれる宣伝広告のための情報、若しくは、宣伝広告のための情報にアクセス可能な識別情報を出力することによって、消費者は情報提供者が特定したサービス提供者のサービスの訴求点を把握することができる。
【００４７】
更に、ポイント付与手段が宣伝広告のための情報が利用された情報提供者に対してポイントを付与することによって、宣伝広告のための情報が利用されたいという情報提供者のインセンティブを高めることができる。
【００４８】
また、ポイントを付与される対象は、サービス提供者が選択した情報提供者情報であるために、換言すると、サービス提供者に選択された情報提供者情報のみが利用されるために、情報提供者情報が利用されたい情報提供者同士での競争が生まれ、より一層、情報提供者情報に含まれる宣伝広告のための情報の高品質化が期待できる。なお、サービス提供者が選択する情報提供者情報は、単数であっても複数であっても良い。
【００４９】
ここで、「宣伝広告のための情報」は、消費者の購買意欲が高まる情報や、消費者を購入に導く情報であれば、いかなる情報であっても良い。例えば、サービスの価格の情報や、サービスの購入方法の情報が挙げられる。
【００５０】
また、情報提供者情報として、還元率の情報が情報提供者情報記録手段に記録される場合には、宣伝広告のための情報が利用された場合の還元率を特定することができる。
【００５１】
なお、情報提供者情報は情報提供者の端末から送信される情報であるために、換言すると、還元率の情報を情報提供者自身が決定し、情報提供者情報記録手段に記録することによって、宣伝広告のための情報が利用されたいという情報提供者のインセンティブが高まることを期待できる。そして、こうしたインセンティブの高まりに伴って、情報提供者情報に含まれる宣伝広告のための情報の高品質化も期待できる。
【００５２】
ところで、ここでの「所定の商品」とは、食品も含む。また、「所定の商品」は、一次産品である場合と二次産品である場合の双方を含み、有体物である場合と無体物である場合の双方を含む。また、動産であるか不動産であるかを問わない。
【００５３】
また、ここでの「所定のサービス」とは、顧客のためになされる種々の奉仕や、他人のために尽力すること、を意味し、有償であるか無償であるかは問わない。
【００５４】
また、ここでの「宣伝広告のための情報にアクセス可能な識別情報」とは、例えば、通信回線を介して「宣伝広告のための情報」が掲載されたウェブサイトにアクセスすることができる二次元バーコードやカラーコード等の識別子を意味する。
【００５５】
更に、ここでの「ポイント」とは、景品や商品と交換したり、値引きしたり、次回以降の購入代金の一部に充当したりすることができる点数を意味し、換金できる点数、換金できない点数、のいずれも含むものである。
【発明の効果】
【００５６】
本発明の商品情報提供システム及びサービス情報提供システムでは、消費者がより一層安心して商品やサービスを選択することが可能となり、商品やサービスの信頼度の向上を実現することができる。
【図面の簡単な説明】
【００５７】
【図１】本発明の商品情報提供システムの構成例の一例を説明するための模式図である。
【図２】本発明の商品情報提供システムの使用方法の一例を示す概略図である。
【図３】本発明の変形例を説明するための概略図である。
【発明を実施するための形態】
【００５８】
以下、本発明を実施するための形態（以下、「実施の形態」と称する）について説明を行う。
【００５９】
図１は、本発明の商品情報提供システムの構成例の一例を説明するための模式図である。
図１で示す商品情報提供システム１は、商品提供者が利用する商品提供者端末２と、情報提供者が利用する情報提供者端末３（３Ａ，３Ｂ，３Ｃ，３Ｄ，３Ｅ，３Ｆ）と、サーバ４とで構成される。
【００６０】
また、商品提供者端末２、及び、情報提供者端末３は、インターネット５を介してサーバ４とやり取り可能に構成される。
【００６１】
なお、情報提供者端末３を利用する情報提供者としては、（１）商品提供者とは別ルートで商品提供者が提供する商品の提供を受けた者や、（２）過去に商品提供者から商品の提供を受けた顧客（既存顧客）や、（３）各種商品の宣伝広告を生業とする広告会社等があり、特に限定されるものではない。また、情報提供者の全てが別ルートで商品の提供を受けた者の場合、情報提供者の全てが既存顧客の場合、情報提供者の全てが広告会社の場合の他、情報提供者の一部が別ルートで商品の提供を受けた者であり、他の一部が広告会社の場合、など、（１）〜（３）を適宜組み合わせた場合であっても良い。
【００６２】
また、サーバ４は、商品提供者端末２から送信された商品提供者情報を記録する商品提供者情報記録手段６を有する。
【００６３】
更に、商品提供者情報記録手段６は、少なくとも、商品提供者が顧客に提供する商品の内容の情報６ａと、こうした商品の品質の情報６ｂと、出力する情報提供者情報を特定するための出力対象情報６ｃを記録可能に構成されている。
【００６４】
ここで、商品の内容の情報６ａに紐付けて、商品の品質の情報６ｂと、出力対象情報６ｃが記録される。なお、複数の商品の内容の情報が記録される場合（即ち、商品の内容の情報６ａに加えて、商品の内容の情報６ａとは別の商品の内容の情報も記録される場合）には、それぞれの商品の内容の情報に対応した品質の情報、出力対象情報が記録される。
【００６５】
また、サーバ４は、情報提供者が利用する情報提供者端末３Ａから送信された情報提供者情報Ａを記録する情報提供者情報記録手段７Ａと、情報提供者が利用する情報提供者端末３Ｂから送信された情報提供者情報Ｂを記録する情報提供者情報記録手段７Ｂと、情報提供者が利用する情報提供者端末３Ｃから送信された情報提供者情報Ｃを記録する情報提供者情報記録手段７Ｃと、情報提供者が利用する情報提供者端末３Ｄから送信された情報提供者情報Ｄを記録する情報提供者情報記録手段７Ｄと、情報提供者が利用する情報提供者端末３Ｅから送信された情報提供者情報Ｅを記録する情報提供者情報記録手段７Ｅと、情報提供者が利用する情報提供者端末３Ｆから送信された情報提供者情報Ｆを記録する情報提供者情報記録手段７Ｆを有する。
【００６６】
また、情報提供者情報記録手段７Ａは、少なくとも、情報提供者端末３Ａを利用する情報提供者の情報７Ａａと、商品提供者が提供する商品の内容の情報７Ａｂと、商品提供者が提供する商品の宣伝広告の情報７Ａｃと、宣伝広告の情報７Ａｃが利用された場合の還元率の情報７Ａｄと、保有するポイントの情報７Ａｅを記録可能に構成されている。
【００６７】
ここで、「商品の内容の情報７Ａｂ」は、商品提供者端末２を利用する商品提供者とは別の商品提供者から提供を受けた商品（以下、「別ルートの商品」と称する）であって、商品提供者端末２を利用する商品提供者が提供する商品と同じ商品についての情報である。
【００６８】
更に、情報提供者の情報７Ａａに紐付けて、商品の内容の情報７Ａｂと、宣伝広告の情報７Ａｃと、還元率の情報７Ａｄと、ポイントの情報７Ａｅが記録される。また、商品の内容の情報７Ａｂと紐付けて、宣伝広告の情報７Ａｃと、還元率の情報７Ａｄが記録される。なお、複数の商品の内容の情報が記録される場合（即ち、商品の内容の情報７Ａｂに加えて、商品の内容の情報７Ａｂとは別の商品の内容の情報も記録される場合）には、それぞれの商品の内容の情報に対応した宣伝広告の情報、還元率の情報が記録される。
【００６９】
同様に、情報提供者情報記録手段７Ｂは、少なくとも、情報提供者端末３Ｂを利用する情報提供者の情報７Ｂａと、商品提供者が提供する商品の内容の情報７Ｂｂと、商品提供者が提供する商品の宣伝広告の情報７Ｂｃと、宣伝広告の情報７Ｂｃが利用された場合の還元率の情報７Ｂｄと、保有するポイントの情報７Ｂｅを記録可能に構成されている。
【００７０】
ここで、「商品の内容の情報７Ｂｂ」は、別ルートの商品であって、商品提供者端末２を利用する商品提供者が提供する商品と同じ商品についての情報である。
【００７１】
更に、情報提供者の情報７Ｂａに紐付けて、商品の内容の情報７Ｂｂと、宣伝広告の情報７Ｂｃと、還元率の情報７Ｂｄと、ポイントの情報７Ｂｅが記録される。また、商品の内容の情報７Ｂｂと紐付けて、宣伝広告の情報７Ｂｃと、還元率の情報７Ｂｄが記録される。なお、複数の商品の内容の情報が記録される場合（即ち、商品の内容の情報７Ｂｂに加えて、商品の内容の情報７Ｂｂとは別の商品の内容の情報も記録される場合）には、それぞれの商品の内容の情報に対応した宣伝広告の情報、還元率の情報が記録される。
【００７２】
同様に、情報提供者情報記録手段７Ｃは、少なくとも、情報提供者端末３Ｃを利用する情報提供者の情報７Ｃａと、商品提供者が提供する商品の内容の情報７Ｃｂと、商品提供者が提供する商品の宣伝広告の情報７Ｃｃと、宣伝広告の情報７Ｃｃが利用された場合の還元率の情報７Ｃｄと、保有するポイントの情報７Ｃｅを記録可能に構成されている。
【００７３】
ここで、「商品の内容の情報７Ｃｂ」は、別ルートの商品であって、商品提供者端末２を利用する商品提供者が提供する商品と同じ商品についての情報である。
【００７４】
更に、情報提供者の情報７Ｃａに紐付けて、商品の内容の情報７Ｃｂと、宣伝広告の情報７Ｃｃと、還元率の情報７Ｃｄと、ポイントの情報７Ｃｅが記録される。また、商品の内容の情報７Ｃｂと紐付けて、宣伝広告の情報７Ｃｃと、還元率の情報７Ｃｄが記録される。なお、複数の商品の内容の情報が記録される場合（即ち、商品の内容の情報７Ｃｂに加えて、商品の内容の情報７Ｃｂとは別の商品の内容の情報も記録される場合）には、それぞれの商品の内容の情報に対応した宣伝広告の情報、還元率の情報が記録される。
【００７５】
同様に、情報提供者情報記録手段７Ｄは、少なくとも、情報提供者端末３Ｄを利用する情報提供者の情報７Ｄａと、商品提供者が提供する商品の内容の情報７Ｄｂと、商品提供者が提供する商品の宣伝広告の情報７Ｄｃと、宣伝広告の情報７Ｄｃが利用された場合の還元率の情報７Ｄｄと、保有するポイントの情報７Ｄｅを記録可能に構成されている。
【００７６】
ここで、「商品の内容の情報７Ｄｂ」は、別ルートの商品であって、商品提供者端末２を利用する商品提供者が提供する商品と同じ商品についての情報である。
【００７７】
更に、情報提供者の情報７Ｄａに紐付けて、商品の内容の情報７Ｄｂと、宣伝広告の情報７Ｄｃと、還元率の情報７Ｄｄと、ポイントの情報７Ｄｅが記録される。また、商品の内容の情報７Ｄｂと紐付けて、宣伝広告の情報７Ｄｃと、還元率の情報７Ｄｄが記録される。なお、複数の商品の内容の情報が記録される場合（即ち、商品の内容の情報７Ｄｂに加えて、商品の内容の情報７Ｄｂとは別の商品の内容の情報も記録される場合）には、それぞれの商品の内容の情報に対応した宣伝広告の情報、還元率の情報が記録される。
【００７８】
同様に、情報提供者情報記録手段７Ｅは、少なくとも、情報提供者端末３Ｅを利用する情報提供者の情報７Ｅａと、商品提供者が提供する商品の内容の情報７Ｅｂと、商品提供者が提供する商品の宣伝広告の情報７Ｅｃと、宣伝広告の情報７Ｅｃが利用された場合の還元率の情報７Ｅｄと、保有するポイントの情報７Ｅｅを記録可能に構成されている。
【００７９】
ここで、「商品の内容の情報７Ｅｂ」は、別ルートの商品であって、商品提供者端末２を利用する商品提供者が提供する商品と同じ商品についての情報である。
【００８０】
更に、情報提供者の情報７Ｅａに紐付けて、商品の内容の情報７Ｅｂと、宣伝広告の情報７Ｅｃと、還元率の情報７Ｅｄと、ポイントの情報７Ｅｅが記録される。また、商品の内容の情報７Ｅｂと紐付けて、宣伝広告の情報７Ｅｃと、還元率の情報７Ｅｄが記録される。なお、複数の商品の内容の情報が記録される場合（即ち、商品の内容の情報７Ｅｂに加えて、商品の内容の情報７Ｅｂとは別の商品の内容の情報も記録される場合）には、それぞれの商品の内容の情報に対応した宣伝広告の情報、還元率の情報が記録される。
【００８１】
同様に、情報提供者情報記録手段７Ｆは、少なくとも、情報提供者端末３Ｆを利用する情報提供者の情報７Ｆａと、商品提供者が提供する商品の内容の情報７Ｆｂと、商品提供者が提供する商品の宣伝広告の情報７Ｆｃと、宣伝広告の情報７Ｆｃが利用された場合の還元率の情報７Ｆｄと、保有するポイントの情報７Ｆｅを記録可能に構成されている。
【００８２】
ここで、「商品の内容の情報７Ｆｂ」は、別ルートの商品であって、商品提供者端末２を利用する商品提供者が提供する商品と同じ商品についての情報である。
【００８３】
更に、情報提供者の情報７Ｆａに紐付けて、商品の内容の情報７Ｆｂと、宣伝広告の情報７Ｆｃと、還元率の情報７Ｆｄと、ポイントの情報７Ｆｅが記録される。また、商品の内容の情報７Ｆｂと紐付けて、宣伝広告の情報７Ｆｃと、還元率の情報７Ｆｄが記録される。なお、複数の商品の内容の情報が記録される場合（即ち、商品の内容の情報７Ｆｂに加えて、商品の内容の情報７Ｆｂとは別の商品の内容の情報も記録される場合）には、それぞれの商品の内容の情報に対応した宣伝広告の情報、還元率の情報が記録される。
【００８４】
また、サーバ４は、新規顧客（見込み顧客）が情報を求めた場合に、出力対象情報６ｃに基づいて、情報提供者情報記録手段７に記録された宣伝広告の情報を出力する広告情報出力手段８を有する。
【００８５】
ところで、情報提供者情報の変更を情報提供者の判断のみで行えるとした場合には、変更後の情報の内容によっては商品提供者が大きな不利益を被ることも考えられる。例えば、新規記録時には商品提供者が好む内容として商品提供者が選択するように仕向け、その後に悪意をもって虚偽の情報に変更する場合等が挙げられる。
そのため、情報提供者情報の変更については、情報提供者自身で行えるものの、変更内容を商品提供者が承認した場合に限って、その変更が反映されるように構成しても良い。
なお、（記録された情報の変更ではなく）新規の記録の場合には、商品提供者が選択しなければ情報が出力されることは無いため、承認の仕組み等は不要である。
【００８６】
更に、サーバ４は、広告情報出力手段８が宣伝広告の情報を出力した場合に、情報提供者にポイントを付与するポイント付与手段９を有する。
具体的には、例えば、宣伝広告の情報７Ｅｃが出力された場合には、情報提供者情報記録手段７Ｅの保有するポイントの情報７Ｅｅに、還元率の情報７Ｅｄに応じたポイントが加算されることになる。
【００８７】
図２は、本発明の商品情報提供システムの使用方法の一例を示す概略図である。
なお、以下では、情報提供者３０（３０Ａ，３０Ｂ，３０Ｃ，３０Ｄ，３０Ｅ，３０Ｆ）は、別ルートの商品の提供を受けたことがあり、新規顧客４０は商品提供者２０から商品の提供を受けるか否かの検討に際して、情報の収集を行っていることを前提として説明を行う。
【００８８】
［１．各種情報の記録］
本発明の商品情報提供システムの使用方法の一例では、新規顧客４０が情報を得るためには、各種情報がサーバ４に記録される必要がある。そのために、サーバ４への各種情報の記録について説明を行う。
【００８９】
先ず、商品提供者２０が、自身が提供する商品２００の内容（商品の内容の情報６ａ）を、商品提供者端末２を用いて商品提供者情報記録手段６に記録する。また、商品提供者２０が、自身が提供する商品２００の品質の情報６ｂを、商品提供者端末２０を用いて商品提供者情報記録手段６に記録する。
これらの記録は、図２中符号（１）で示すステップである。
【００９０】
次に、情報提供者３０Ａは、自身を特定する情報（情報提供者の情報７Ａａ）を、情報提供者端末３Ａを用いて情報提供者情報記録手段７Ａに記録する。
また、情報提供者の情報７Ａａに紐付けて、別ルートの商品の内容（商品の内容の情報７Ａｂ）と、商品２００の宣伝広告の情報７Ａｃを、情報提供者端末３Ａを用いて情報提供者情報記録手段７Ａに記録する。
【００９１】
更に、情報提供者の情報７Ａａに紐付けて、宣伝広告の情報７Ａｃが利用された場合の還元率の情報７Ａｄを、情報提供者端末３Ａを用いて情報提供者情報記録手段７Ａに記録する。
これらの記録は、図２中符号（２）で示すステップである。
【００９２】
なお、情報提供者３０Ａが各種情報を記録すると、商品提供者２０に「その旨」が送信される（図２中符号（３）で示すステップ）。
【００９３】
ここでは、情報提供者３０Ａが、情報提供者の情報７Ａａ、商品の内容の情報７Ａｂ、宣伝広告の情報７Ａｃ、還元率の情報７Ａｄを記録する場合の説明を行っているが、同様にして、情報提供者３０Ｂ、情報提供者３０Ｃ、情報提供者３０Ｄ、情報提供者３０Ｅ及び情報提供者３０Ｆも、記録を行う。
なお、情報提供者３０Ａ〜３０Ｆは、同タイミングで記録を行うということではなく、順次行うものである。
【００９４】
次に、上記（３）で示すステップで「その旨」が送信されていることから、商品提供者２０は、サーバ４にアクセスして、記録された情報提供者情報（Ａ〜Ｆ）を確認した上で、いずれかの情報提供者情報を選択し（例えば、宣伝広告の情報の質を比較して情報提供者情報を選択する、還元率を比較して情報提供者情報を選択する、など）、商品提供者端末２を用いて、出力対象情報６ｃを記録する（図２中符号（４）で示すステップ）。
【００９５】
上述したような各種情報の記録の後に、新規顧客４０に対して、各種情報の提供が可能となる。
【００９６】
なお、ここでは、商品提供者２０が提供する商品２００について、情報提供者３０が各種情報の記録を行う場合のみを説明しているが、サーバ４に記録される情報は「商品提供者２０が提供する商品２００」に関するもののみではなく、「商品提供者２０が提供する商品２００とは別の商品」や、「商品提供者２０とは別の商品提供者が提供する商品」に関するものについても記録される。
即ち、本実施の形態では、新規顧客４０が、商品提供者２０が提供する商品２００に関連する情報を得る場合を例に挙げて説明を行うが（後述）、サーバ４は、「商品提供者２０が提供する商品２００とは別の商品」や、「商品提供者２０とは別の商品提供者が提供する商品」に関連する情報も提供することができる。
【００９７】
［２．各種情報の提供］
商品提供者２０が提供する商品２００に関連して、各種情報の提供を希望する新規顧客４０は、新規顧客端末（図示せず）でインターネット５を介してサーバ４にアクセスを行う（図２中符号（５）で示すステップ）。
【００９８】
サーバ４にアクセスすると、新規顧客端末には、情報提供が可能な商品提供者の一覧が表示され、新規顧客４０は表示された一覧の中から「商品提供者２０」を選択する。また、「商品提供者２０」を選択すると、商品提供者２０が提供する商品の一覧が表示され、新規顧客４０は表示された一覧の中から「商品２００」を選択する。
【００９９】
そして、新規顧客端末から「商品提供者２０の商品２００」が選択されると、広告情報出力手段８が、商品提供者情報記録手段６に記録された商品の内容の情報６ａ（商品２００に対応する情報が商品の内容の情報６ａである）と、商品の内容の情報６ａに紐付けられた品質の情報６ｂを出力する（新規顧客端末に情報が表示される）。
【０１００】
併せて、広告情報出力手段８は、商品の内容の情報６ａに紐付けられた出力対象情報６ｃに基づいて、情報提供者情報を出力する（新規顧客端末に情報が表示される）。具体的には、例えば、出力対象情報６ｃに出力対象として「宣伝広告の情報７Ｅｃ」が記録されている場合には、宣伝広告の情報７Ｅｃと、宣伝広告の情報７Ｅｃに紐付けられた商品の内容の情報７Ｅｂを出力する。
【０１０１】
その後、新規顧客４０が商品提供者２０の商品２００の提供を受ける場合（商品提供者２０の商品２００を購入する場合）には、商品提供者２０が新規顧客４０に対して商品２００を提供する。
【０１０２】
なお、広告情報出力手段８が情報を出力すると、情報提供者に「その旨」が送信される（情報提供者７Ｅに送信される場合について、図２中符号（６）で示すステップ）。
【０１０３】
［３．ポイントの付与］
広告情報出力手段８が情報を出力すると、ポイント付与手段９は、広告情報出力手段８が出力した情報の登録者にポイントを付与する。具体的には、例えば、広告情報出力手段８が宣伝広告の情報７Ｅｃを出力した場合には、「商品提供者２０の商品２００の価格」に還元率の情報７Ｅｄを乗じた価格に相当するポイントを付与し、保有するポイントの情報７Ｅｅが更新されることになる。
【０１０４】
［効果］
上記した本発明の商品情報提供システムでは、宣伝広告の情報７Ｅｃによって、商品提供者２０の商品２００の訴求点を把握することができる。
なお、商品２００の提供を受ける前に、宣伝広告の情報７Ｅｃ等を確認することで、商品２００の訴求点を把握することができるために、新規顧客４０は商品提供者２０の商品２００の提供を受けるか否か（商品２００を購入するか否か）の判断材料を得ることができる。
【０１０５】
また、情報提供者にポイントが付与されることから、情報提供者情報を登録しようというインセンティブが高まり、情報提供者情報の充実（数量の充実、品質の充実）が期待でき、結果として、宣伝広告の情報を通じてより一層商品２００の訴求点を把握することができる。
【０１０６】
また、情報提供者自身が宣伝広告の情報や還元率の情報を登録できること、商品提供者２０が選択した情報提供者情報に対してのみポイントが付与されること、から、情報提供者情報の品質が高められることが期待でき、このことによっても、宣伝広告の情報を通じてより一層商品２００の訴求力を把握することができる。
【０１０７】
［変形例１］
上記した本発明の商品情報提供システムの一例では、宣伝広告の情報７Ｅｃが出力される場合を例に挙げて説明を行っているが、新規顧客４０が宣伝広告の情報を確認することができれば充分であるために、宣伝広告の情報７Ｅｃにアクセスできる識別情報（二次元バーコードやカラーコード等の識別子）を出力しても良い。
この場合、識別情報を用いて、新規顧客端末で宣伝広告の情報７Ｅｃが掲載されたウェブサイト等にアクセスして、宣伝広告の情報７Ｅｃを確認することになる。
【０１０８】
なお、変形例１のように、識別情報を通じて宣伝広告の情報７Ｅｃにアクセスする場合は、アクセスしたウェブサイトには同一の情報が掲載されているであろうという新規顧客の期待を考慮して、情報提供者情報記録手段７Ｅの宣伝広告の情報７Ｅｃが変更された場合であっても、変更前に出力した識別情報でアクセスするウェブサイトには変更前の宣伝広告の情報７Ｅｃが掲載されるようにしても良い。
【０１０９】
［変形例２］
また、情報提供者情報記録手段７Ａ〜７Ｆに、別ルートの商品の品質の情報７Ａｆ〜７Ｆｆを記録しても良い（図３参照）。この場合には、広告情報出力手段８によって、商品の品質の情報７Ａｆ〜７Ｆｆが出力されることになる。
変形例２の場合には、商品の品質の情報６ｂと商品の品質の情報７Ａｆ〜７Ｆｆの双方が出力され、商品を提供する側（商品提供者２０）とそれ以外（情報提供者３０）の双方の情報に基づいて商品２００の特定を行うことにより、情報の改竄や偽造等を抑止することができる。
【０１１０】
［変形例３］
更に、商品が食品や調理器具である場合に、情報提供者情報記録手段７Ａ〜７Ｆに、別ルートの商品を使用したレシピ情報７Ａｇ〜７Ｆｇを記録しても良い（図３参照）。この場合には、広告情報出力手段８によって、レシピ情報７Ａｇ〜７Ｆｇが出力されることになる。
変形例３の場合には、レシピ情報７Ａｇ〜７Ｆｇが出力され、商品の具体的な利用方法を消費者に伝えることができる。
【０１１１】
［変形例４］
また、本実施の形態では、商品提供者が商品を提供する場合を例に挙げて説明を行っているが、換言すると、取引対象が商品である場合を例に挙げて説明を行っているが、これに限るものではなく、サービス提供者がサービスを提供する場合であっても良い。
【符号の説明】
【０１１２】
１    商品情報提供システム
２    商品提供者端末
３    情報提供者端末
４    サーバ
５    インターネット
６    商品提供者情報記録手段
７    情報提供者情報記録手段
８    広告情報出力手段
９    ポイント付与手段
２０    商品提供者
３０    情報提供者
４０    新規顧客
２００    商品
【図１】
2020177660.tif 000003
【図２】
2020177660.tif 000004
【図３】
2020177660.tif 000005
【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
所定の商品の情報を含み、商品提供者の端末から送信された情報を、商品提供者情報として記録する商品提供者情報記録手段と、
前記商品提供者が提供する前記商品の情報と、前記商品提供者が提供する前記商品の宣伝広告のための情報を含み、前記商品提供者とは異なる情報提供者の端末から送信された情報を、情報提供者情報として記録する情報提供者情報記録手段と、
前記情報提供者情報記録手段に記録された前記情報提供者情報のうち、前記商品提供者が選択した情報提供者情報である選択情報提供者情報に含まれる前記宣伝広告のための情報、若しくは、前記選択情報提供者情報に含まれる前記宣伝広告のための情報にアクセス可能な識別情報を出力する情報出力手段と、
前記情報出力手段が情報を出力することによって、前記宣伝広告のための情報が利用された前記情報提供者に対して、ポイントを付与するポイント付与手段と、
前記商品提供者の端末から送信された特定情報であって、前記情報提供者情報記録手段に記録された複数の前記情報提供者情報のうち、前記選択情報提供者情報を特定するための前記特定情報を記録する特定情報記録手段と、を備え、
前記情報出力手段は、前記特定情報記録手段に記録された前記特定情報に基づいて出力する
商品情報提供システム。
【請求項２】
前記情報提供者情報は、前記商品を用いた料理レシピ情報を含む
請求項１に記載の商品情報提供システム。
【請求項３】
前記情報提供者情報は、前記商品の価格、若しくは、前記商品の購入方法の情報、の少なくとも一方を含む
請求項１に記載の商品情報提供システム。
【請求項４】
前記情報提供者情報は、前記宣伝広告のための情報が利用された場合の還元率の情報を含み、
前記ポイント付与手段は、前記選択情報提供者情報に含まれる還元率の情報に応じたポイントを付与する
請求項１、請求項２または請求項３に記載の商品情報提供システム。
【請求項５】
前記商品提供者情報は、前記商品提供者が提供する前記商品の品質理解のための情報を含む
請求項１、請求項２、請求項３または請求項４に記載の商品情報提供システム。
【請求項６】
前記情報提供者情報は、前記商品提供者が提供する前記商品の品質理解のための情報を含む
請求項１、請求項２、請求項３、請求項４または請求項５に記載の商品情報提供システム。
【請求項７】
商品提供者が提供する商品の宣伝広告のための情報を含み、前記商品提供者とは異なる情報提供者の端末から送信された情報を、情報提供者情報として記録する情報提供者情報記録手段と、
前記情報提供者情報記録手段に記録された前記情報提供者情報のうち、前記商品提供者が選択した情報提供者情報である選択情報提供者情報に含まれる前記宣伝広告のための情報、若しくは、前記選択情報提供者情報に含まれる前記宣伝広告のための情報にアクセス可能な識別情報を出力する情報出力手段と、
前記情報出力手段が情報を出力することによって、前記宣伝広告のための情報が利用された前記情報提供者に対して、ポイントを付与するポイント付与手段と、
前記商品提供者の端末から送信された特定情報であって、前記情報提供者情報記録手段に記録された複数の前記情報提供者情報のうち、前記選択情報提供者情報を特定するための前記特定情報を記録する特定情報記録手段と、を備え、
前記情報出力手段は、前記特定情報記録手段に記録された前記特定情報に基づいて出力する
商品情報提供システム。
【請求項８】
前記情報提供者情報は、前記商品を用いた料理レシピ情報を含む
請求項７に記載の商品情報提供システム。
【請求項９】
前記情報提供者情報は、前記商品の価格、若しくは、前記商品の購入方法の情報、の少なくとも一方を含む
請求項７に記載の商品情報提供システム。
【請求項１０】
前記情報提供者情報は、前記宣伝広告のための情報が利用された場合の還元率の情報を含み、
前記ポイント付与手段は、前記選択情報提供者情報に含まれる還元率の情報に応じたポイントを付与する
請求項７、請求項８または請求項９に記載の商品情報提供システム。
【請求項１１】
前記情報提供者情報は、前記商品提供者が提供する前記商品の品質理解のための情報を含む
請求項７、請求項８、請求項９または請求項１０に記載の商品情報提供システム。
【請求項１２】
所定のサービスの情報を含み、サービス提供者の端末から送信された情報を、サービス提供者情報として記録するサービス提供者情報記録手段と、
前記サービス提供者が提供する前記サービスの情報と、前記サービス提供者が提供する前記サービスの宣伝広告のための情報を含み、前記サービス提供者とは異なる情報提供者の端末から送信された情報を、情報提供者情報として記録する情報提供者情報記録手段と、
前記情報提供者情報記録手段に記録された前記情報提供者情報のうち、前記サービス提供者が選択した情報提供者情報である選択情報提供者情報に含まれる前記宣伝広告のための情報、若しくは、前記選択情報提供者情報に含まれる前記宣伝広告のための情報にアクセス可能な識別情報を出力する情報出力手段と、
前記情報出力手段が情報を出力することによって、前記宣伝広告のための情報が利用された前記情報提供者に対して、ポイントを付与するポイント付与手段と、
前記サービス提供者の端末から送信された特定情報であって、前記情報提供者情報記録手段に記録された複数の前記情報提供者情報のうち、前記選択情報提供者情報を特定するための前記特定情報を記録する特定情報記録手段と、を備え、
前記情報出力手段は、前記特定情報記録手段に記録された前記特定情報に基づいて出力する
を備える
サービス情報提供システム。
【請求項１３】
前記情報提供者情報は、前記サービスの価格、若しくは、前記サービスの購入方法の情報、の少なくとも一方を含む
請求項１２に記載のサービス情報提供システム。
【請求項１４】
前記情報提供者情報は、前記宣伝広告のための情報が利用された場合の還元率の情報を含み、
前記ポイント付与手段は、前記選択情報提供者情報に含まれる還元率の情報に応じたポイントを付与する
請求項１２または請求項１３に記載のサービス情報提供システム。
【請求項１５】
前記サービス提供者情報は、前記サービス提供者が提供する前記サービスの品質理解のための情報を含む
請求項１２、請求項１３または請求項１４に記載のサービス情報提供システム。
【請求項１６】
前記情報提供者情報は、前記サービス提供者が提供する前記サービスの品質理解のための情報を含む
請求項１２、請求項１３、請求項１４または請求項１５に記載のサービス情報提供システム。
【請求項１７】
サービス提供者が提供するサービスの宣伝広告のための情報を含み、前記サービス提供者とは異なる情報提供者の端末から送信された情報を、情報提供者情報として記録する情報提供者情報記録手段と、
前記情報提供者情報記録手段に記録された前記情報提供者情報のうち、前記サービス提供者が選択した情報提供者情報である選択情報提供者情報に含まれる前記宣伝広告のための情報、若しくは、前記選択情報提供者情報に含まれる前記宣伝広告のための情報にアクセス可能な識別情報を出力する情報出力手段と、
前記情報出力手段が情報を出力することによって、前記宣伝広告のための情報が利用された前記情報提供者に対して、ポイントを付与するポイント付与手段と、
前記サービス提供者の端末から送信された特定情報であって、前記情報提供者情報記録手段に記録された複数の前記情報提供者情報のうち、前記選択情報提供者情報を特定するための前記特定情報を記録する特定情報記録手段と、を備え、
前記情報出力手段は、前記特定情報記録手段に記録された前記特定情報に基づいて出力する
サービス情報提供システム。
【請求項１８】
前記情報提供者情報は、前記サービスの価格、若しくは、前記サービスの購入方法の情報、の少なくとも一方を含む
請求項１７に記載のサービス情報提供システム。
【請求項１９】
前記情報提供者情報は、前記宣伝広告のための情報が利用された場合の還元率の情報を含み、
前記ポイント付与手段は、前記選択情報提供者情報に含まれる還元率の情報に応じたポイントを付与する
請求項１７または請求項１８に記載のサービス情報提供システム。
【請求項２０】
前記情報提供者情報は、前記サービス提供者が提供する前記サービスの品質理解のための情報を含む
請求項１７、請求項１８または請求項１９に記載のサービス情報提供システム。